(57)【要約】  【課題】  手摺やベランダがないような建物の窓にも設置することができる屋外用遮熱装置を提供すること。  【解決手段】  屋外用遮熱装置の遮熱シートは、サッシ枠の上部に横設される支持部材から吊下される。この遮熱シートには、その縦方向に間隔をおいて複数の心棒抱持部が設けられており、この複数の心棒抱持部内には遮熱シートの横方向に向けられた心棒が抱持されている。そして、各心棒には取付具が係着されて、その各取付具の環状部には遮熱シートを縦断する操作紐が挿通されている。この操作紐の一端部は遮熱シートの下端縁辺部に連結されており、その他端部は滑車装置によって支持部材の横設方向一側部へ導出されてそこから垂下されている。よって、この操作紐を上げ下げすることで、遮熱シートが滑車装置を介して昇降される。また、操作紐の他端部は、紐係止具によって、サッシ枠の一側部に解除可能に係止もされる。【選択図】        図１
0003122116.tif 000002
【実用新案登録請求の範囲】
【請求項１】
柔軟性及び遮熱性を有する遮熱シートと、その遮熱シートを吊下支持するものであってサッシ枠の上部に着脱自在に横設される支持部材とを備えた屋外用遮熱装置において、
前記遮熱シートの縦方向に間隔をおいてその遮熱シートに複数設けられ、前記遮熱シートの横幅方向一側が少なくとも開口した筒状に形成されている複数の心棒抱持部と、
その複数の心棒抱持部内に抱持されて前記遮熱シートの横方向に向けて遊挿されている複数の心棒と、
その心棒を抱持する前記心棒抱持部ごとその心棒に係着され、なおかつ、前記心棒抱持部外に環状部を有している複数の取付具と、
その複数の取付具の環状部に挿通されて前記遮熱シートを縦断し、その遮熱シートの下端縁辺部に一端部が連結される操作紐と、
その操作紐の他端部を前記支持部材の横設方向一側部へ導出してそこから垂下させるものであって前記支持部材に一体的に配設される滑車装置と、
その滑車装置によって前記支持部材から垂下される前記操作紐の他端部を、サッシ枠の一側部に解除可能に係止する紐係止具とを備えていることを特徴とする屋外用遮熱装置。
【請求項２】
前記遮熱シートは、その表面がアルミ蒸着層で被覆され、かつ、その全面に複数の横筋状の透孔が貫通形成されており、
前記心棒抱持部は、前記心棒の外径より小さな網目を複数有している網状部材で形成されていることを特徴とする請求項１記載の屋外用遮熱装置。
【請求項３】
前記取付具は、略８字形に連設される一対の環状部における連設部が略９０°捻れたものであって、その一方の環状部内に前記心棒が挿通され、その他方の環状部内に操作紐が挿通されるものであることを特徴とする請求項１又は２に記載の屋外用遮熱装置。
【請求項４】
前記支持部材は、前記遮熱シートの上端縁辺部が吊着されるとともに、サッシ枠の上部に沿って横設され、かつ、その横設方向両側に少なくとも係合凹部が凹設されている桟部材と、その桟部材の前記係合凹部内に着脱可能に緊合される係合部が設けられ、サッシ枠に対して着脱可能に固定される固定ブラケットとを備えていることを特徴とする請求項１から３のいずれかに記載の屋外用遮熱装置。
【請求項５】
前記桟部材の係合凹部は、その桟部材の横設方向に連続してその桟部材の下端面に凹設される長溝状に形成されており、
前記固定ブラケットの係合部は、前記係合凹部の溝幅方向に弾性変形可能であって、その係合凹部の内壁面間に圧接される板バネ状に形成されていることを特徴とする請求項４記載の屋外用遮熱装置。
【考案の詳細な説明】
【技術分野】
【０００１】
本考案は、建物のサッシ枠に設置される、屋外用の遮熱装置に関するものである。
【背景技術】
【０００２】
本願出願人は、実用新案登録第３１１１２０２号に記載の通り、ベランダの手摺と窓の上方の壁面間に簡単に設置でき、室内に日射の侵入を防止するとともに、通気性も良好なベランダ用日除け装置を提案している。このベランダ用日除け装置は、建造物の窓の外方に設けられたベランダの手摺と窓の上方にある壁面間に、斜めにシートが張設される日除け装置である。
【０００３】
この日除け装置によれば、シートの下部における数箇所が手摺側に取り付け紐を介して着脱可能に固定される一方、シートの上部における数箇所が操作紐の一端に固着される。そして、その各操作紐の他端を窓の上方壁面側に設けた各滑車を介して、窓の一方の側面側の壁面側に設けた操作紐固定具に着脱可能に一緒に結着される。この結果、操作紐を操作することでシートの上部が昇降させる。
【考案の開示】
【考案が解決しようとする課題】
【０００４】
しかしながら、上記した日除け装置では、日除け用シートの下部をベランダの手摺に取付紐を介して固定する必要があり、手摺が設置されていないベランダや、ベランダのないような建物には適用できないという問題点があった。
【０００５】
本考案は、上述した問題点を解決するためになされたものであり、手摺やベランダがないような建物の窓にも設置することができる屋外用遮熱装置を提供することを目的としている。
【課題を解決するための手段】
【０００６】
この目的を達成するために請求項１記載の屋外用遮熱装置は、柔軟性及び遮熱性を有する遮熱シートと、その遮熱シートを吊下支持するものであってサッシ枠の上部に着脱自在に横設される支持部材とを備えており、更に、前記遮熱シートの縦方向に間隔をおいてその遮熱シートに複数設けられ、前記遮熱シートの横幅方向一側が少なくとも開口した筒状に形成されている複数の心棒抱持部と、その複数の心棒抱持部内に抱持されて前記遮熱シートの横方向に向けて遊挿されている複数の心棒と、その心棒を抱持する前記心棒抱持部ごとその心棒に係着され、なおかつ、前記心棒抱持部外に環状部を有している複数の取付具と、その複数の取付具の環状部に挿通されて前記遮熱シートを縦断し、その遮熱シートの下端縁辺部に一端部が連結される操作紐と、その操作紐の他端部を前記支持部材の横設方向一側部へ導出してそこから垂下させるものであって前記支持部材に一体的に配設される滑車装置と、その滑車装置によって前記支持部材から垂下される前記操作紐の他端部を、サッシ枠の一側部に解除可能に係止する紐係止具とを備えている。
【０００７】
この請求項１記載の屋外用遮熱装置によれば、例えば、遮熱シートを使用しないときは、支持部材から垂下する操作紐の他端部が引き下げられると、滑車装置を介することで、操作紐の一端部が他端部とは逆向きの上方へ引き上げられて、その結果、操作紐の一端部が連結されている遮熱シートの下端縁辺部が支持部材へ向かって上昇し、遮熱シートが支持部材側に引き寄せられる。
【０００８】
そして、操作紐の一端部が引き下げられるに従って遮熱シートは徐々に襞状に寄せられ、最終的には支持部材の直下部に襞状に束ねられた状態となる。それから、紐係止具によって、操作紐の他端部をサッシ枠の一側部に係止すれば、遮熱シートを支持部材の直下に束ねたままの状態で保持することができる。
【０００９】
一方、遮熱シートを使用するときは、紐係止具の係止状態が解除されて、遮熱シートを引き上げるために操作紐の他端部に作用している引張力が緩められると、遮熱シートの重みと複数の心棒の重みとで、遮熱シートが下方に向けて展開され、支持部材から吊下される。すると、遮熱シートによって、サッシ枠内にある窓が覆われて、屋外からの太陽光線が遮断される。
【００１０】
請求項２記載の屋外用遮熱装置は、請求項１記載の屋外用遮熱装置において、前記遮熱シートは、その表面がアルミ蒸着層で被覆され、かつ、その全面に複数の横筋状の透孔が貫通形成されており、前記心棒抱持部は、前記心棒の外径より小さな網目を複数有している網状部材で形成されている。
【００１１】
この請求項２記載の屋外用遮熱装置によれば、請求項１記載の屋外用遮熱装置と同様な作用及び効果を奏することに加え、遮熱シートは、アルミ蒸着層によって太陽光線を反射させて、屋内への太陽光線を遮断することができる。またその一方で、遮熱シートは、複数の透孔によって通気性も付与されている。このため、遮熱シート越しでも屋外からの風を、窓を通じて屋内へ取り込むことができ、遮熱シートと窓間に熱気がこもることもなく、室内の気温上昇を抑制することができる。
【００１２】
また、心棒抱持部が網状部材で形成されているので、かかる心棒抱持部にも通気性を付与することができ、心棒抱持部内に熱が籠もることを防止できる。しかも、心棒抱持部に通気性を付与することで、複数の心棒抱持部が風を受けた風帆のようになって、遮熱シートが暴れ動くことも抑制できる。更に、心棒抱持部を網状部材とすることで、この網状部材に取付具を引っ掛けて係着することもでき、その網目から心棒に係着された取付具の環状部を心棒抱持部外に突出させることもできる。
【００１３】
請求項３記載の屋外用遮熱装置は、請求項１又は２に記載の屋外用遮熱装置において、前記取付具は、略８字形に連設される一対の環状部における連設部が略９０°捻れたものであって、その一方の環状部内に前記心棒が挿通され、その他方の環状部内に操作紐が挿通されるものである。
【００１４】
この請求項３記載の屋外用遮熱装置によれば、請求項１又は２に記載の屋外用遮熱装置と同様な作用及び効果を奏することに加え、心棒抱持部内に抱持されている心棒は一方の環状部に挿通されることで取付具と係着される。すると、当該一方の環状部に対して略９０°捻れている他方の環状部は、その貫通方向が遮熱シートの縦方向に向くため、遮熱シートを縦断する操作紐が挿通され易くなる。しかも、心棒及び操作紐は、いずれも各環状部に挿通させるだけで取付具に容易に取り付けることができる。
【００１５】
請求項４記載の屋外用遮熱装置は、請求項１から３のいずれかに記載の屋外用遮熱装置において、前記支持部材は、前記遮熱シートの上端縁辺部が吊着されるとともに、サッシ枠の上部に沿って横設され、かつ、その横設方向両側に少なくとも係合凹部が凹設されている桟部材と、その桟部材の前記係合凹部内に着脱可能に緊合される係合部が設けられ、サッシ枠に対して着脱可能に固定される固定ブラケットとを備えている。
【００１６】
この請求項４記載の屋外用遮熱装置によれば、請求項１から３のいずれかに記載の屋外用遮熱装置と同様な作用及び効果を奏することに加え、固定ブラケットがサッシ枠の上部両側にそれぞれ固定され、その各固定ブラケットの係合部を桟部材の横設方向両側にある係合凹部内にそれぞれ緊合することで、桟部材が固定ブラケットに取り付けられる。この結果、桟部材は、サッシ枠の上部両側にある固定ブラケットにより支えられ、サッシ枠の上部に沿って横設される。
【００１７】
そして、冬期などのように遮熱シートが長期間不要となるときは、係合部を係合凹部から抜脱すれば、桟部材を固定ブラケットから脱着して、固定ブラケットを除く部材を纏めてサッシ枠から撤去しておくこともできる。しかも、固定ブラケットもサッシ枠に対して着脱可能に固定されていることから、本装置が一切不要な場合には、固定ブラケットごと撤去することもできる。
【００１８】
請求項５記載の屋外用遮熱装置は、請求項４記載の屋外用遮熱装置において、前記桟部材の係合凹部は、その桟部材の横設方向に連続してその桟部材の下端面に凹設される長溝状に形成されており、前記固定ブラケットの係合部は、前記係合凹部の溝幅方向に弾性変形可能であって、その係合凹部の内壁面間に圧接される板バネ状に形成されている。
【００１９】
この請求項５記載の屋外用遮熱装置によれば、請求項４記載の屋外用遮熱装置と同様な作用及び効果を奏することに加え、係合凹部は桟部材の下端面に凹設されるので、固定ブラケットの係合部を緊合させた場合に、桟部材を固定ブラケットによって下方から安定支持することができる。また、係合凹部は桟部材の横設方向に連続した長溝であるので、固定ブラケットをサッシ枠の横方向におけるいずれの箇所に固定したとしても、何ら問題もなく、その固定ブラケットの係合部を桟部材の係合凹部に緊合させることができる。
【００２０】
また、固定ブラケットの係合部が板バネ状であるので、かかる係合部は自身の弾性復元力によって係合凹部の内壁面間に圧接することができ、固定ブラケットの係合部を桟部材に対してガタつかせることなく取り付けることができる。このことは、最終的に固定ブラケットに桟部材をねじ止めするような場合においては、特に、桟部材を固定ブラケットに対して仮止めするための機能として発揮される。
【考案の効果】
【００２１】
本考案の屋外用遮熱装置によれば、遮熱シートに柔軟性があるので、遮熱シートが不使用のときに、サッシ枠の上部に遮熱シートを襞状に束ね寄せて、窓から屋内へ太陽光線を差し込ませることができる。一方、遮熱シートの使用時には、サッシ枠の上部から遮熱シートを吊り下げることで、屋外からの太陽光線を遮断して、室内の温度上昇を抑制することができる。
【００２２】
また、支持部材によって、遮熱シートはサッシ枠上部から吊下されて窓を覆うので、遮熱シートをベランダの手摺に紐などで結び付ける必要がなく、ベランダや手摺のない建物の窓部にも容易に設置できる。しかも、支持部材は、サッシ枠の上部に着脱可能に横設されるので、本装置自体が不要な場合には、支持部材ごと遮熱シートをサッシ枠から撤去することもできる。
【００２３】
また、遮熱シートは、その各心棒抱持部内に心棒が横方向に向けて遊挿されているので、遮熱シートの剛性を補強することができ、さらに、複数の心棒の重みによってただ吊下されるだけの遮熱シートが風で靡いて捲れ上がったりすることも防止できる。しかも、遮熱シートの核心棒は、筒状の心棒抱持部内に遊挿されて遮熱シートに取り付けられるだけなので、シート状の遮熱シートに棒状の心棒を容易に取り付けることができる。
【００２４】
また、複数の取付具は、各心棒抱持部内で各心棒の軸心方向両側に係着され、その心棒抱持部に対しても一緒に係着されるので、各心棒を遮熱シートに対して固定的に止着することができる。しかも、複数の取付具は、心棒抱持部外にある環状部に操作紐を挿通させることで、遮熱シートの縦方向に縦断する操作紐を、遮熱シートに対して定位置に係留もすることもでき、その結果、支持部材からの吊下時に風に吹かれた操作紐が遮熱シートに絡み付くなどする不具合も抑制できる。
【考案を実施するための最良の形態】
【００２５】
以下、本考案の好ましい実施例について、添付図面を参照して説明する。図１は、本考案の一実施例である日除け装置１の正面図であって、遮熱シート２を展開した状態を示している。また、図２は、日除け装置１の背面図である。これら図１及び図２に示すように、日除け装置１は、主として、遮熱シート２と、複数本の心棒３，３，…と、複数の取付具４，４，…と、一対の操作紐５，５と、複数の滑車６，７，８と、支持部材９とを備えている。
【００２６】
図１に示すように、遮熱シート２は、襞状に束ね寄せることが可能な柔軟性を有した正面視縦長矩形状の樹脂製シートであり、その表面にアルミ蒸着層が形成されることで、特に、太陽光線のうちの赤外線を反射して遮断する性質が付与されている。また、この遮熱シート２は、その全面に複数の横筋状の透孔１１，１１，…が貫通形成されており、これらの複数の透孔１１，１１，…によって通気性が付与されている。
【００２７】
しかも、遮熱シート２は、複数の透孔１１，１１，…を通じて屋外からの可視光線を透過させる性質が向上されてもいる。なお、遮熱シート２に用いられるアルミ蒸着樹脂製シートは、複数の透孔１１，１１，…の有無に関係なく、屋外からの可視光線の一部を透過する性質を有するものであっても良く、屋外からの紫外線の一部を遮断する性質を有するものであっても良い。
【００２８】
遮熱シート２には、その上端縁辺部に沿って支持部材９が併設されており、この支持部材９は、遮熱シート２をサッシ枠５０の上部から吊下して支持するためのものである。支持部材９は、遮熱シート２の上端縁辺部が吊着される桟部材１２と、その桟部材１２をサッシ枠５０の上部に着脱自在に横設するために桟部材１２の横方向両側に配設される一対の固定ブラケット１３，１３（図２参照）とを備えている。
【００２９】
支持部材９は、その桟部材１２の前面に、複数（合計３個）の滑車６，７，８が回転自在に取着されている。これら３個の滑車６，７，８は、一対の操作紐５，５を支持部材９の横設方向一側部（図１左側）へ導出してそこから垂下させるための機構であり、一対の操作紐５，５は、遮熱シート２を昇降させるために使用者により操作される紐である。
【００３０】
具体的に、遮熱シート２を昇降させる２本の操作紐５，５は、第１及び第２の滑車６，７に１本ずつ巻回されて、これらの滑車６，７から桟部材１２の横設方向一側（図１左側）へ更に導出されて、その先で第３の滑車８に纏めて巻回されて、そこから鉛直下方へ向けて垂下されている。このため、滑車８から垂下されている各操作紐５，５の端部を引き下げれば、第１乃至第３の滑車６，７，８を介して遮熱シート２を引き上げることができるのである。
【００３１】
また、第１及び第２の滑車６，７の前面には、遮熱シート２の上端縁辺部に係着されている２個の取付具４，４が１個ずつネジ止めされており（図４参照）、これら２個の取付具４，４によって、遮熱シート２が支持部材９の桟部材１２に対して吊着されている。
【００３２】
図２に示すように、遮熱シート２の裏面には、その遮熱シート２の縦方向（上下方向）に所定間隔をおいて複数の心棒抱持部１４，１４，…が一体的に形成されている。これらの各心棒抱持部１４は、遮熱シート２の裏面に横長帯状のネット材を当てて、そのネット材の上辺及び下辺を遮熱シート２に縫着したものである。ここで、各心棒抱持部１４のネット材には、太くて丈夫な樹脂製糸で製網された網状体（網状部材）が用いられる。
【００３３】
この複数の心棒抱持部１４，１４，…は、遮熱シート２に心棒３，３，…を抱持した状態で取り付けるためのものである。これらの各心棒抱持部１４は、遮熱シート２の横方向に貫通した筒状に形成され、その横方向両側がいずれも開口（開放）されており、遮熱シート２の横方向両側のどちら側からでも心棒３を遊挿できるように形成されている。
【００３４】
複数本の心棒３，３，…は、遮熱シート２の骨材として機能するものであり、遮熱シート２の各心棒抱持部１４内に１本ずつ遊挿されている。これらの心棒３はいずれも高剛性の樹脂製丸棒材であり、各心棒３の軸方向長さは遮熱シート２の横幅より短くされている。なお、心棒３は必ずしも樹脂製丸棒材に限定されるものではなく、例えば、樹脂製中空パイプや金属棒又は軽量金属パイプであっても良い。
【００３５】
また、各心棒３の外径は心棒抱持部１４の縦幅よりも小さくされており、各心棒３が各心棒抱持部１４内へ挿入され易くなっている。更に、各心棒３には、その外径が心棒抱持部１４（のネット材）の網目よりも大きくて、各心棒抱持部１４の網目から抜け落ちにくいものが採用されている。
【００３６】
複数の心棒３，３，…のうち、遮熱シート２の縦方向（図２上下方向）両側縁辺にある心棒抱持部１４，１４内に抱持されている２本は、その他の心棒３に比べて若干外径が大きくされている。なぜなら、遮熱シート２の上端縁辺（図２上側）にある心棒３は、遮熱シート２の吊下時に遮熱シート２全体の荷重が加わるために大きな強度が必要だからであり、遮熱シート２の下端縁辺（図２下側）にある心棒３は、操作紐５，５による引き上げ時に加わる遮熱シート２の荷重を受けるために大きな強度が必要だからである。
【００３７】
複数の取付具４，４，…は、各心棒抱持部１４のネット材に対して、各心棒３を係着し、かつ、操作紐５，５を係留するための部材である。この複数の取付具４，４，…は、各心棒抱持部１４の横方向（図２左右方向）両側にそれぞれ１個ずつ、心棒抱持部１４ごとに合計２個ずつ取り付けられている。なお、遮熱シート材２の上端縁辺にある心棒抱持部１４に取り付けられる２個の取付具４，４については、図１、図３（ａ）及び図４に図示されている。
【００３８】
複数の取付具４，４，…のうち、半数の取付具４，４，…は遮熱シート２の横方向一側（図２左側）に、そして、もう半数の取付具４，４，…は遮熱シート２の横方向他側（図２右側）に、遮熱シート２の縦方向（（図２上下方向）に向かって略一列状に並べられている。そして、遮熱シート２の横方向両側（図２左右両側）には、上記した操作紐５が１本ずつ遮熱シート２の縦方向（図２上下方向）に縦断している。
【００３９】
しかも、これら一対の操作紐５，５は、その一方が遮熱シート２の横方向一側（図２左側）にて縦方向略一列状に並んでいる各取付具４の各ループ１７に挿通されており、更に、その他方が遮熱シート２の横方向他側（図２右側）にて縦方向略一列状に並んでいる各取付具４の各ループ１７に挿通されている。
【００４０】
そして、各操作紐５は、その一端部が遮熱シート２の下端縁辺部（図２下側）に形成される心棒抱持部１４に対して係着されている各取付具４に結着（連結）されており、更に、その他端部が上記したように第１及び第２の滑車６，７にそれぞれ巻回されているのである。
【００４１】
図３（ａ）は、取付具４の取付箇所の拡大斜視図であり、図３（ｂ）は、遮熱シート２の拡大裏面図であって、支持部材９の図示を省略したものである。図３（ａ）に示すように、複数の取付具４，４，…はいずれも、略８字形に連設された一対のループ１６，１７を備えており、その各ループ１６，１７が互いの連設部で相互に略９０°捻れて形成されたものである。
【００４２】
図３（ａ）に示すように、各取付具４における一方のループ１６は心棒抱持部１４のネット材に引っ掛けられており、また、このループ１６の内周部には心棒抱持部１４内にある心棒３が挿通されている。この結果、各取付具４は、心棒抱持部１４とその内部にある心棒３とに纏めて一緒に係着されている。また、各取付具４における他方のループ１７は心棒抱持部１４の外に突出されており、このループ１７の内周部には操作紐５が遊挿されている。この結果、操作紐５は取付具４を介して遮熱シート２に対して定位置に係留されるのである。
【００４３】
もっとも、図３（ｂ）に示すように、遮熱シート２の上端縁辺部にある心棒抱持部１４に係着された２個の取付具４，４については、そのループ１７，１７に一対の操作紐５，５が挿通されることはなく、これらのループ１７，１７は上記したように滑車６，７へのネジ止めに用いられる（図１及び図４参照）。また、遮熱シート２の上端縁辺にある２個の取付具４，４のループ１６，１６については、他の取付具４と同様に、遮熱シート２の心棒抱持部１４内にある心棒３が挿通される。
【００４４】
図４は、支持部材９の横設方向一側における部分的な斜視図である。図４に示すように、桟部材１２は、遮熱シート２の上端縁辺部が吊着され、サッシ枠５０の上部縁辺に沿って横設される梁状体である。この桟部材１２の下端面には一定の溝幅Ｗを有する係合凹部１８が凹設されており、この係合凹部１８は、桟部材１２の横設方向に連続した長溝（スリット）状に形成されている。このため、桟部材１２は断面視略逆Ｕ字状に形成されている。
【００４５】
固定ブラケット１３は、桟部材１２の係合凹部１８内に着脱可能に係入されて緊合される係合部１９と、その係合部１９と連設されサッシ枠５０に着脱可能に固定される固定部２０とを備えている。固定ブラケット１３の係合部１９は、桟部材１２の係合凹部１８の溝幅Ｗ方向に弾性変形可能な側面視逆Ｕ字形の板バネ状に形成されており、桟部材１２の係合凹部１８における内壁面間に圧接されるものである。
【００４６】
なお、桟部材１２を固定ブラケット１３に更に頑強に固定する場合は、桟部材１２を固定ブラケット１３の係合部１９にネジ止めするようにしても良い。
【００４７】
また、固定ブラケット１３の固定部２０は、前記サッシ枠５０の前面５０ａに当着される当着板２１と、その当着板２１が折り返されて形成された咬合板２２とを備えており、この咬合板２２及び当着板２１間にサッシ枠５０の突条５２を叩きこんで咬合させることでサッシ枠５０に固定されるものである。
【００４８】
なお、固定ブラケット１３をサッシ枠５０に更に頑強に固定する場合は、当着板２１をサッシ枠５０の前面５０ａにネジ止めするようにしても良い。
【００４９】
図５は、紐係止具２３を部分的に断面視した斜視図である。図５に示すように、紐係止具２３は、各滑車６，７，８を介することで支持部材９から垂下される各操作紐５，５の他端部を、サッシ枠５０の一側部に解除可能に係止するものである。この紐係止具２３は、サッシ枠５０の一側部にネジ止めなどによって着脱可能に固定される筐体２４を備えている。紐係止具２３の筐体２４には、２本の操作紐５，５の他端部を上下方向に貫通させて通す貫通孔２５が設けられている。
【００５０】
また、筐体２４には、貫通孔２５の内壁面との間で２本の操作紐５，５の他端部を挟み込んで係止する係止レバー２６が揺動可能に軸着されている。この係止レバー２６によれば、その係止レバー２６を下方へ揺動させれば、貫通孔２５の内壁面と係止レバー２６との間に２本の操作紐５，５が挟み込まれて、この２本の操作紐５，５がサッシ枠５０の一側部に係止される。一方、係止レバー２６を上方へ揺動させれば、貫通孔２５の内壁面から係止レバー２６が離れて２本の操作紐５，５が挟持力が緩和されて、かかる２本の操作紐５，５の係止状態が解除される。
【００５１】
次に、図６及び図７を参照して、上記実施例の変形例について説明する。第２実施例の日除け装置３０は、上記した第１実施例の日除け装置１に対して、固定ブラケット１３の配設個数を変更したものである。以下、第１実施例と同一の部分には同一の符号を付して、その説明を省略し、異なる部分のみを説明する。
【００５２】
図６は、第２実施例の日除け装置３０の正面図である。図６に示すように、第２実施例の日除け装置３０は、第１実施例に比べて横幅が大きなサッシ枠６０に装着されるものであり、桟部材１２の横設方向両側の他に、桟部材１２の横設方向中央部にもう１個の固定ブラケット１３が配設されている。これら３個の固定ブラケット１３は、サッシ枠６０の縦枠６１，６２，６３にそれぞれ１個ずつ固定されている。
【００５３】
ここで、第１実施例で説明したように桟部材１２の係合凹部１８は、桟部材１２の横設方向に連続して凹設されているので、この桟部材１２の横設方向の何処に固定ブラケット１３，１３，１３を配設しても、それらの各固定ブラケット１３の係合部１９を緊合することができる。
【００５４】
図７（ａ）は、第３実施例の固定ブラケット４０がサッシ枠５０の上側縁部に固定された状態を示す正面図であり、図７（ｂ）は、図７（ａ）のＶＩＩＢ−ＶＩＩＢ線における縦断面図であり、図中では、桟部材１２に取り付けられている滑車６〜８の図示を省略している。この第３実施例の固定ブラケット４０は、上記した第１実施例の固定ブラケット１３に対して、その形態を一部変更したものである。以下、第１実施例と同一の部分には同一の符号を付して、その説明を省略し、異なる部分のみを説明する。
【００５５】
図７（ａ）及び図７（ｂ）に示すように、固定ブラケット４０の係合部１９は、その前面板１９ａに雌ネジ孔１９ｂが穿設されている。この雌ネジ孔１９ｂは、係合部１９が桟部材１２の係合凹部１８内に係入されて緊合される場合に、桟部材１２の通孔１２ａと連通されて、この通孔１２ａを通じてタッピンネジ４２が螺入される穿孔である。また、タッピンネジ４２は、桟部材１２を固定ブラケット４０の係合部１９に固定するための固定具である。
【００５６】
図７（ｂ）に示すように、固定ブラケット４０は、それの係合部１９の背面板１９ｃの下端部に連設される略Ｌ字形の固定部４１を備えている。この固定部４１は、係合部１９の背面板１９ｃの下端部が略直角に曲折されてサッシ枠５０側へ延出された平板部４１ａと、その平板部４１ａの延出部分の先端が更に略直角に下方へ曲折された縦板部４１ｂとを備えている。
【００５７】
この第３実施例の固定ブラケット４０によれば、その固定部４１の縦板部４１ｂの前面には、２個のタッピンネジ４３が挿通される通孔が２箇所穿設されており（図７（ａ）参照）、この縦板部４１をサッシ枠５０の前面にタッピンネジ４３を用いてネジ止めすることによって、サッシ枠５０に頑強に固定することができる。なお、タッピンネジ４３は、上記したタッピンネジ４２と同種のものである。
【００５８】
以上、実施例に基づき本考案を説明したが、本考案は上記実施例に何ら限定されるものではなく、本考案の趣旨を逸脱しない範囲内で種々の改良変形が可能であることは容易に推察できるものである。
【００５９】
例えば、本実施例では、遮熱シート２を支持部材９の桟部材１２に吊着する手段として、複数の取付具４，４，…のうち遮熱シート２の上端縁辺部に取り付けられた２個の取付具４，４を、支持部材９の桟部材１２にネジ止めする手段を用いた。しかしながら、遮熱シートを桟部材に吊着する手段は必ずしもこれに限定されるものではなく、例えば、遮熱シートの上端縁辺部に複数の鳩目を設けて、その鳩目にネジを通してネジ止めしたり、その鳩目に紐を通して結着したり、又は、その鳩目にフックを引っ掛けるなどして、遮熱シートを桟部材に吊着するようにしても良い。
【００６０】
また、紐係止具２３の筐体２４をサッシ枠６０に固定する手段は、必ずしも筐体をサッシ枠にネジ止めするものに限定されるものではなく、固定ブラケットの固定部と同じく当着板及び咬合板を用いたものであっても良い。
【図面の簡単な説明】
【００６１】
【図１】本考案の一実施例である日除け装置の正面図であり。
【図２】日除け装置の背面図である。
【図３】（ａ）は、取付具の取付箇所の拡大斜視図であり、（ｂ）は、遮熱シートの拡大裏面図である。
【図４】支持部材の横設方向一側における部分的な斜視図である。
【図５】紐係止具を部分的に断面視した斜視図である。
【図６】第２実施例の日除け装置の正面図である。
【図７】（ａ）は、第３実施例の固定ブラケットがサッシ枠の上側縁部に固定された状態を示す正面図であり、（ｂ）は、（ａ）のＶＩＩＢ−ＶＩＩＢ線における縦断面図であり、
【符号の説明】
【００６２】
１，３０            日除け装置（屋外用遮熱装置）
２                  遮熱シート
３                  心棒
４                  取付具
５                  操作紐
６，７，８          滑車（滑車装置）
９                  支持部材
１１                透孔
１２                桟部材
１３，４０          固定ブラケット
１４                心棒抱持部
１６                ループ（一対の環状部の一方、取付具の一部）
１７                ループ（一対の環状部の他方、取付具の一部）
１８                係合凹部
１９                係合部
２３                紐係止具
【図１】
0003122116.tif 000003
【図２】
0003122116.tif 000004
【図３】
0003122116.tif 000005
【図４】
0003122116.tif 000006
【図５】
0003122116.tif 000007
【図６】
0003122116.tif 000008
【図７】
0003122116.tif 000009